(57)【要約】【課題】液晶表示装置そのものの動作により近い動作を検出して、異常を検知可能な技術を提供する。【解決手段】液晶表示装置で発生する異常を検出する異常検出装置であって、前記液晶表示装置に入力される共通電極信号を生成する共通電極信号生成部から出力される共通電極信号を監視する共通電極信号監視部と、前記共通電極信号監視部で取得される共通電極信号の波形、電圧、周波数のうち何れか一つの要素に基づいて前記液晶表示装置の異常を判断する異常判断部と、を備える。【選択図】図３
2010091286.tif 000002
【特許請求の範囲】
【請求項１】
液晶表示装置で発生する異常を検出する異常検出装置であって、
前記液晶表示装置に入力される共通電極信号を生成する共通電極信号生成部から出力される共通電極信号を監視する共通電極信号監視部と、
前記共通電極信号監視部で取得される共通電極信号の波形、電圧、周波数のうち少なくとも何れか一つの要素に基づいて前記液晶表示装置の異常を判断する異常判断部と、
を備える異常検出装置。
【請求項２】
前記異常判断部が異常であると判断した場合に、前記液晶表示装置を再起動する再起動部を更に備える請求項１に記載の異常検出装置。
【請求項３】
前記異常判断部は、前記共通電極信号の電圧が所定値以上である場合に、前記液晶表示装置に異常が発生したと判断する、請求項１又は請求項２に記載の異常検出装置。
【請求項４】
前記異常判断部は、正常時の共通電極信号の波形と前記共通電極信号監視部で取得される共通電極信号の波形とを比較して、該正常時の共通電極信号の波形と該取得される共通電極信号の波形とが相違している場合に、前記液晶表示装置に異常が発生したと判断する、請求項１から請求項３の何れか一に記載の異常検出装置。
【請求項５】
前記共通電極信号生成部から出力される共通電極信号は、交流共通電極信号であり、
前記交流共通電極信号を直流共通電極信号に変換し、かつ該直流共通電極信号の最大電圧を保持する変換保持回路部を更に備え、
前記異常判断部は、前記変換保持回路部で保持される直流共通電極信号の最大電圧が所定値以上である場合に、前記液晶表示装置に異常が発生したと判断する、請求項１から請求項４の何れか一に記載の異常検出装置。
【請求項６】
前記共通電極信号生成部は、前記液晶表示装置に内蔵されている、請求項１から請求項５の何れか一に記載の異常検出装置。
【発明の詳細な説明】
【技術分野】
【０００１】
本発明は、表示装置の異常検出装置に関する。
【背景技術】
【０００２】
携帯電話機、小型ゲーム機、ノート型コンピュータ、ナビゲーション装置などの電子機器の表示装置として、液晶表示装置が普及している。そして、液晶表示装置として、例えば、薄膜トランジスタ（ＴＦＴ；Thin Film Transistor）によるアクティブマトリクス型液晶表示装置が知られている（例えば、特許文献１を参照）。
【特許文献１】特開２００７−９３９９５号公報
【特許文献２】特開平１０−８２８１４号公報
【発明の開示】
【発明が解決しようとする課題】
【０００３】
携帯電話機、小型ゲーム機、ノート型コンピュータ、ナビゲーション装置などの電子機器の表示装置として、液晶表示装置が普及している。また、液晶表示装置に発生する異常（例えば、画像が映らない）を検出する技術が知られている。ここで、図１は、従来の液晶表示装置の異常検出装置の概略構成を示す。同図に示すように、この従来の表示装置の異常検出装置（以下、単に従来の異常検出装置という。）は、パネルマイコン２０１、ＴＦＴ（Thin Film Transistor）用電源ＩＣ（Integrated Circuit）２０２、高電圧検出回路２０３、低電圧検出回路２０４、ＣＯＭ信号生成回路（COM Buffer）２０５、ＴＦＴコントローラ（ＴＣＯＮ）２０６、によって構成されている。
【０００４】
パネルマイコン２０１は、ＣＰＵ（Central Processing Unit）、揮発性のＲＡＭ（Random Access Memory）や不揮発性のＲＯＭ（Read Only Memory）等のメモリによって構成され、メモリに格納された所定のプログラムに基づいて表示装置に画像を表示するのに必要な所定の処理を実行する。所定の処理の一つとして、パネルマイコン２０１は、ＴＦＴ用電源ＩＣ２０２に対してＯＮ／ＯＦＦ信号を出力する。また、パネルマイコン２０１は、高電圧検出回路２０３からのＶＧＨ電圧検出信号と、低電圧検出回路２０４からのＶＧＬ電圧検出信号と、に基づいて液晶表示装置が正常に動作しているか否かを判断する。具体的には、パネルマイコン２０１は、ＴＦＴモジュール２０７に供給される電源を監視し、電源の電圧に異常があるとＴＦＴモジュールが正常に動作していないと判断する。なお、電源に異常があるか否かは、ＴＦＴの駆動電圧（ＶＧＨ、ＶＧＬ）が所定の電圧を上回っているか、又は下回っているかによって判断される。
【０００５】
ＴＦＴ用電源ＩＣ２０２は、パネルマイコン２０１からのＯＮ信号が入力されると、ＴＦＴを駆動する信号としてＴＦＴ駆動信号を出力する。ＴＦＴ駆動信号には、ＶＧＨ駆動信号（例えば、＋１３Vに印加された駆動信号）と、ＶＧＬ駆動信号（例えば、−１６Ｖに印加された駆動信号）とがある。ＶＧＨ駆動信号が通るルート（配線）上には、高電圧検出回路２０３が設けられ、高電圧検出回路２０３は、ＶＧＨ駆動信号の電圧を検出し、検出結果をＶＧＨ電圧検出信号としてパネルマイコン２０１に対して出力する。また、ＶＧＬ駆動信号が通るルート上には、低電圧検出回路２０４が設けられ、低電圧検出回路２０４は、ＶＧＬ駆動信号の電圧を検出し、検出結果をＶＧＬ電圧検出信号として、パネルマイコン２０１に対して出力する。
【０００６】
ＣＯＭ信号生成回路２０５は、ＶＧＨ駆動信号及びＶＧＬ駆動信号に基づいてＴＦＴの共通電極を駆動するためのＣＯＭ信号（共通電極信号）をＴＦＴに対して出力する。ＴＣＯＮ２０６は、ＣＯＭ信号生成回路２０５を制御する。ＴＦＴモジュール２０７は、上述
したＶＧＨ駆動信号、ＶＧＬ駆動信号、及びＣＯＭ信号や、映像信号等が入力されることで、所望の画像を表示する。
【０００７】
ここで、従来の異常検出装置では、以下のような課題が指摘されていた。すなわち、従来の異常検出装置では、ＴＦＴモジュール２０７の外部に設けられている、高電圧検出回路２０３又は低電圧検出回路２０４からの検出信号に基づいて、ＴＦＴの異常を判断しているため、ＴＦＴモジュール２０７の内部で発生する異常は検出できなかった。すなわち、従来の異常検出装置は、ＴＦＴモジュール２０７の外部から印加される電圧を監視しているにすぎず、ＴＦＴモジュールそのものの動作を検出しているとは言えない。したがって、ＴＦＴモジュールに発生する異常をより正確に検出可能な新たな技術開発が求められる。
【０００８】
本発明では、上記した背景に鑑み、液晶表示装置に発生する異常をより正確に検出可能な技術を提供することを課題とする。
【課題を解決するための手段】
【０００９】
本発明では、上述した課題を解決するため、電源信号よりも液晶表示装置との関連性が強い共通電極信号を監視し、共通電極信号に基づいて液晶表示装置に発生する異常を検出することとした。より詳細には、本発明は、液晶表示装置で発生する異常を検出する異常検出装置であって、前記液晶表示装置に入力される共通電極信号を生成する共通電極信号生成部から出力される共通電極信号を監視する共通電極信号監視部と、前記共通電極信号監視部で取得される共通電極信号の波形、電圧、周波数のうち何れか一つの要素に基づいて前記液晶表示装置の異常を判断する異常判断部と、を備える。
【００１０】
共通電極信号は、液晶表示装置の共通電極に供給される信号であり、電源信号と比較してより液晶表示装置の内部の動作と密接に関連している。したがって、共通電極信号に基づいて液晶表示装置の異常を検出することで、従来の電源信号に基づいて異常を検出する技術に比べて、より液晶表示装置そのものの動作により近い動作に基づいて異常を検出することが可能となる。また、近年の液晶表示装置には、液晶表示装置の内部に共通電極信号を生成するものも存在するが、本発明によれば、このような液晶表示装置の異常も検出することができる。換言すると、液晶表示装置の内部で発生する異常を検知することができる。
【００１１】
本発明に係る異常検出装置は、共通電極信号に基づいて液晶表示装置の異常を検知することを特徴とする。そして、液晶表示装置に異常が発生したか否かは、異常判断部が共通電極信号に基づいて判断する。より具体的には、異常判断部は、共通電極信号の波形、電圧、周波数のうち何れか一つの要素に基づいて液晶表示装置の異常を判断する。液晶表示装置の異常には、液晶表示装置に画像が映らない、液晶表示装置を構成する何れかの回路素子が破壊した、電源信号が供給されていないといった事態が想定される。そして、上記のような異常が発生した場合には、共通電極信号の波形、電圧、周波数に変化が生じていることが想定される。そこで、本発明では、共通電極信号の上記各要素に基づいて、異常を判断することとした。
【００１２】
なお、液晶表示装置に異常が発生していると判断された場合には、液晶表示装置を再起動することが好ましい。そこで、本発明に係る異常検出装置は、上記に加えて異常判断部が異常であると判断した場合に、前記液晶表示装置を再起動する再起動部を更に備える構成としてもよい。
【００１３】
ここで、異常判断部による判断の一つの態様として、異常判断部は、前記共通電極信号の電圧が所定値以上である場合に、前記液晶表示装置に異常が発生したと判断することが
できる。共通電極信号の電圧が変化した場合、例えば、画像が映らない、画像が乱れるといった異常が発生していることが想定される。そこで、本発明では、電圧に基づいて、液晶表示装置の異常を判断する。判断基準となる電圧の所定値は、共通電極信号の正常時の電圧に基づいて設定することができる。また、共通電極信号は、電源信号に基づいて生成されることから、電源信号の電圧等を考慮して設定することが好ましい。
【００１４】
また、異常判断部による判断の一つの態様として、前記異常判断部は、正常時の共通電極信号の波形と前記共通電極信号監視部で取得される共通電極信号の波形とを比較して、該正常時の共通電極信号の波形と該取得される共通電極信号の波形とが相違している場合に、前記液晶表示装置に異常が発生したと判断するようにしてもよい。
【００１５】
また、本発明に係る異常検出装置において、前記共通電極信号生成部から出力される共通電極信号は、交流共通電極信号であり、前記交流共通電極信号を直流共通電極信号に変換し、かつ該直流共通電極信号の最大電圧を保持する変換保持回路部を更に備えるようにしてもよい。そして、前記異常判断部は、前記変換保持回路部で保持される直流共通電極信号の最大電圧が所定値以上である場合に、前記液晶表示装置に異常が発生したと判断するようにしてもよい。共通電極信号は、通常交流信号であるが、異常判断部が直流信号にしか対応していない場合も想定される。また、交流共通電極信号の電圧に基づいて異常を判断する場合、交流信号の電圧は、所定の周波数で変化していることから、電圧を取得するタイミングによっては、取得した電圧が正常値か異常値かを判断し難い場合もある。本発明に係る異常検出装置では、共通電極信号を交流から直流に変換し、更に、電圧の最大値を保持して、この保持された電圧の最大値が正常値か否か判断する。したがって、容易かつ正確に異常か否かを判断することができ、また、異常判断部が直流信号にしか対応していない場合であっても異常か否かの判断が可能となる。
【００１６】
なお、本発明は、上述した異常検出装置を用いた電子機器としてもよい。電子機器としては、液晶表示装置を備える、携帯電話機、小型ゲーム機、ノート型コンピュータ、ナビゲーション装置が例示される。更に、本発明は、上述した異常検出装置で実行される処理を実現させる方法、又はプログラムであってもよい。更に、本発明は、そのようなプログラムを記録したコンピュータが読み取り可能な記録媒体であってもよい。この場合、コンピュータ等に、この記録媒体のプログラムを読み込ませて実行させることにより、その機能を提供させることができる。なお、コンピュータ等が読み取り可能な記録媒体とは、データやプログラム等の情報を電気的、磁気的、光学的、機械的、又は化学的作用によって蓄積し、コンピュータ等から読み取ることができる記録媒体をいう。
【発明の効果】
【００１７】
本発明によれば、液晶表示装置に発生する異常をより正確に検出可能な技術を提供することができる。
【発明を実施するための最良の形態】
【００１８】
次に、本発明に係る液晶表示装置の異常を検出する異常検出装置の実施形態について図面に基づいて説明する。以下の説明では、異常検出装置を車両に搭載されるナビゲーション装置に搭載した場合を例に説明する。
【００１９】
（第一実施形態）
＜ナビゲーション装置の構成＞
図２は、異常検出装置１００が搭載されるナビゲーション装置２の概略構成を示す。ナビゲーション装置２は、ディスク再生部２１と、メモリーカード再生部２２と、ＴＶ受信部２３と、ラジオ受信部２４と、ＴＦＴ（Thin Film Transistor）モジュール１２５と、ＧＰＳ情報受信部２６と、操作部２７と、通信部２８と、これらと電気的に接続される制
御部２０と、により構成されている。
【００２０】
ディスク再生部２１は、ＣＤやＤＶＤ等に記録されているコンテンツを再生する。ディスク再生部２１は、ＣＤ／ＤＶＤデッキによって構成することができる。メモリーカード再生部２２は、ＵＳＢメモリ、ＳＤメモリーカードといった移動型記憶媒体に格納されているコンテンツを再生する。ＴＶ受信部２３は、ＤＴＶ（Digital Television）放送やワンセグ放送を受信する。ＴＶ受信部２３は、既存のチューナによって構成することができる。ラジオ受信部２４は、ＦＭ放送、ＡＭ放送、ＶＩＣＳ情報等を受信する。ラジオ受信部２４は、既存のチューナによって構成することができる。
【００２１】
ＧＰＳ情報受信部２６は、ＧＰＳ情報を受信する。ＧＰＳ情報受信部２６は、既存のＧＰＳ用受信アンテナによって構成することができる。操作部２７は、ユーザの操作に応じて、操作ボタンに対応する電気信号を制御部２０へ送信する。操作部２７は、ナビゲーション装置２に設けてもよく、また、遠隔操作を可能とするリモートコントローラであってもよい。
【００２２】
ＴＦＴモジュール１２５は、本発明の液晶表示装置に相当し、ディスク再生部２１やＴＶ受信部２３から供給される映像データに基づいて画面に映像を表示する。また、ナビゲーション機能を実行中は、ナビ地図情報や現在位置情報を表示する。ＴＦＴモジュール１２５に発生する異常は、異常検出装置１００によって検出される。異常検出装置１００及びＴＦＴモジュール１２５の詳細については、後述する。
【００２３】
通信部２８は、例えば携帯端末から出力される赤外線を受信する。通信部２８は、有線、無線を問わない。通信部２８は、無線通信を可能とする、赤外線ポート、Bluetooth（登録商標）でもよく、また、有線通信を可能とするケーブルを接続するコネクタであってもよい。
【００２４】
制御部２０は、ディスク再生部２１、メモリーカード再生部２２、ＴＶ受信部２３、ラジオ受信部２４、ＴＦＴモジュール１２５、ＧＰＳ情報受信部２６、操作部２７、通信部２８を制御する。制御部２０は、ＣＰＵ、メモリ等を含むコンピュータとコンピュータ上で実行される上記各プログラムによって実現することができる。ＣＰＵは、バスを介して上述したＴＦＴモジュール１２５等の各ハードウェアと接続されている。ＣＰＵは、各ハードウェアを制御すると共に、例えばＲＯＭ等のメモリに格納された制御プログラムに従って、所定の処理を実行する。
【００２５】
＜異常検出装置の構成＞
次に、異常検出装置１００の構成について説明する。図３は、第一実施形態に係る異常検出装置の概略構成を示す。異常検出装置１００は、本実施形態では、ナビゲーション装置２の制御部２０の一機能部として組み込まれており、ＩＣチップによって構成することができる。異常検出装置１００は、パネルマイコン１０１、バックライト回路部１０２、電源信号調整部１０３、コントラスト調整部１０４、ＴＦＴ異常検出回路部１０５、によって構成されている。
【００２６】
ここで、図４は、パネルマイコンの機能ブロック図を示す。パネルマイコン１０１は、バックライト信号出力部１１４、電源信号出力部１１５、映像信号管理部１１６、ＣＯＭ信号監視部１１７、異常判断部１１８、起動部１１９、再起動部１２０によって構成されている。パネルマイコン１０１には、パネルマイコン１０１を起動するか否かを決定するパネルマイコン起動信号が入力され、パネルマイコン１０１は、係る信号に基づいて起動される。このパネルマイコン起動信号は、例えば、ナビゲーション装置２が起動されることでナビゲーション装置２から送信される。パネルマイコン１０１は、ＣＰＵ１１１及び
メモリ１１２を有し、ＣＰＵ１１１が、各ハードウェアを制御すると共に、メモリ１１２に格納された制御プログラムに従って、所定の処理を実行する。なお、図４では、説明の便宜上インターフェース１１３が一つのみ設けられているが、インターフェース１１３は、パネルマイコン１０１から出力される各信号に対応した専用の端子として複数設けることができる。また、パネルマイコン１０１は、ＴＦＴモジュール１２５の制御部として機能することから、便宜上説明は省略するが、上記に加えて、タッチパネルの信号を制御する機能部等の機能部を有する。
【００２７】
バックライト信号出力部１１４は、バックライト回路部１０２に対して、バックライト回路部１０２の起動又はスタンバイを決定するスタンバイ信号（ＯＮ／ＯＦＦ）、バックライト１２６を構成するＬＥＤに流れる電流値を調整するＬＥＤ電流値調整設定信号（ＯＮ／ＯＦＦ）、バックライト１２６の点灯又は消灯を決定するバックライト１２６の調光信号（ＯＮ／ＯＦＦ）、バックライト１２６のミュートオン又はミュートオフを決定するバックライトミュート信号（Mute ＯＮ／Mute ＯＦＦ）を出力する。バックライト信号出力部１１４から出力された上記各信号のＯＮ／ＯＦＦに基づいて、ＴＦＴモジュール１２５のバックライトが動作する。バックライト信号出力部１１４とバックライト１２６との間には、バックライト１２６の動作を具体的に動作させる、論理回路としてのバックライト回路部が設けられている。従って、バックライト信号出力部１１４から出力された上記各信号は、このバックライト回路部１０２に入力され、バックライト回路部１０２から出力された電気信号に基づいてバックライト１２６が動作する。
【００２８】
電源信号出力部１１５は、ＴＦＴモジュール１２５に必要な電源としての電源信号（ＯＮ／ＯＦＦ）を出力する。本態様では、電源信号出力部１１５は、二種類の電源信号、すなわち、８．５Vに印加された電源信号と、３．３Ｖに印加された電源信号とを出力する。電源信号出力部１１５から出力された電源信号は、ＴＦＴモジュール１２５へ入力される前に電源信号調整部１０３に入力される。電源信号調整部１０３は、電源信号の電圧を調整する論理回路によって構成されている。例えば、３．３Ｖの電源信号として５Ｖの電源信号が電源信号出力部１１５から出力された場合、電源信号調整部１０３によって３．３Ｖに調整された後、ＴＦＴモジュール１２５の電源信号入力部１２７に入力される。電源信号入力部１２７に入力された電源信号は、コントロール部１３０、タイミング信号生成部１３１を介して、最終的に駆動部１３２に入力され、液晶パネル１３５が駆動する。
【００２９】
映像信号管理部１１６は、映像信号に基づいてコントラストの調整等を行う。具体的には、映像信号（例えば、デジタルＲＧＢ）が、ナビゲーション装置２のディスク再生部２１やＴＶ受信部２３から出力されたものがコントラスト調整部１０４に入力される。コントラスト調整部１０４は、映像信号のＯＮ／ＯＦＦを行う論理回路によって構成されている。コントラスト調整部１０４に入力された映像信号は、パネルマイコン制御部０の映像信号管理部１１６及びＴＦＴモジュール１２５の映像信号入力部１２８に対して出力される。
【００３０】
ＣＯＭ信号監視部１１７は、ＴＦＴモジュール１２５のＣＯＭ信号生成部１３４から出力されるＣＯＭ信号を監視する。本態様では、ＣＯＭ信号生成部１３４から出力されるＣＯＭ信号（交流）、換言するとＴＦＴ異常検出回路部１０５で交流から直流に変換され、かつピーク電圧がホールドされたＣＯＭ信号を監視する。なお、ＣＯＭ信号監視部１１７は、ＴＦＴモジュール１２５のＣＯＭ信号生成部１３４から出力されるＣＯＭ信号（交流）を監視するようにしてもよい。このような態様については、第二実施形態で説明する。
【００３１】
ここで、ＴＦＴ異常検出回路部１０５について説明する。図５は、ＴＦＴ異常検出回路部（ピークホールド回路）の一例を示す。同図に示すように、本実施形態に係るＴＦＴ異常検出回路部１０５は、ＣＯＭ信号の流れにおける上流側から下流側に向けて、入力端子
、コンデンサ１５１、抵抗１５２０、オペアンプ１５３、抵抗１５４、ダイオード１５５、コンデンサ１５６、セナーダイオード１５７、出力端子によって構成されている。入力端子を介してＴＦＴ異常検出回路部１０５にＣＯＭ信号（交流）が入力される。この交流のＣＯＭ信号は、正常時、所定の周波数が、例えば１５．７３４／２ｋＨｚで、振幅が、例えば、−２Ｖから６Ｖである。コンデンサ１５１において一旦ホールドされ、抵抗１５２において所定のバイアスがかけられる。所定のバイアスとは、プラスで動作するオペアンプ１５３が正常に動作するために必要な電圧である。本態様では、ＬＯＷ側の電圧が−２Ｖであることから、このままではオペアンプ１５３が正常に動作することができない。そこで、抵抗１５２によって所定のバイアスがかけられる。バイアスがかけられたＣＯＭ信号は、オペアンプ１５３を経て、ダイオード１５４で整流される。すなわち、ダイオード１５５により、交流から直流に変換され、ピーク電圧が抽出される。そして、直流に変換されたＣＯＭ信号のピーク電圧が、コンデンサ１５６で所定の間隔でホールドされる。ここでいう所定の間隔とは、ＣＯＭ信号の周波数に起因した間隔である。なお、セナーダイオード１５７は、入力される信号の電圧を所定の電圧に修正する機能を担う。例えば、パネルマイコン１０１の動作電圧が５Ｖの場合に、誤ってオペアンプから８ＶのＣＯＭ信号が出力されると、パネルマイコン１０１に支障を来たす虞がある。セナーダイオード１５７を設けることで、上記の場合に仮にオペアンプ１５３から８ＶのＣＯＭ信号が出力された場合でも、セナーダイオード１５７によってＣＯＭ信号を５Ｖに修正することができ、パネルマイコン１０１の破損等を抑制することができる。なお、上記ＴＦＴ異常検出回路部は、一例にすぎず既存のピークホールド回路を適宜用いることができる。
【００３２】
異常判断部１１８は、ＣＯＭ信号監視部１１７に入力されたＣＯＭ信号に基づいてＴＦＴモジュール１２５に異常がないかを判断する。より詳細には、異常判断部１１８は、まず、後述する起動部１１９からの起動信号を監視して、ＴＦＴモジュール１２５が起動しているか否かを判断する。そして、ＴＦＴモジュール１２５が起動している場合には、次に、ＣＯＭ信号のピーク電圧が所定値以上であるか否かを判断する。ＣＯＭ信号のピーク電圧が所定値以上である場合には、異常判断部１１８は、ＴＦＴモジュール１２５に異常が発生していると判断する。そして、異常判断部１１８は、異常が発生した旨を再起動部１２０へ報告する。
【００３３】
起動部１１９は、ＴＦＴモジュール１２５に対して起動信号（ＯＮ／ＯＦＦ）を出力する。ＴＦＴモジュール１２５は、起動信号（ＯＮ）が入力されると起動し、起動信号（ＯＦＦ）が入力されると電源が落ちる。再起動部１２０は、異常判断部１１８がＴＦＴモジュール１２５に異常が発生したと判断した場合、ＴＦＴモジュール１２５を再起動する。具体的には、再起動部１２０は、起動部１１９にアクセスし、起動部１１９が起動信号（ＯＦＦ）を出力するよう起動部１１９を制御する。
【００３４】
＜ＴＦＴモジュールの構成＞
次にＴＦＴモジュール１２５について説明する。本実施形態に係るＴＦＴモジュール１２５は、電源信号入力部１２７、映像信号入力部１２８、起動信号入力部１３６、ＴＦＴ制御部１２９、駆動部１３２、液晶パネル１３５、バックライト１２６によって構成されている。ＴＦＴ制御部１２９は、ＣＰＵ及びメモリ１３３を有し、ＣＰＵが、各ハードウェアを制御すると共に、メモリ１３３に格納された制御プログラムに従って、所定の処理を実行する。具体的には、ＴＦＴ制御部１２９には、機能部としてＣＯＭ信号生成部１３４、コントロール部１３０、メモリ１３３、タイミング信号生成部１３１が設けられている。なお、ＴＦＴモジュール１２５には、既存のものを用いることができ、上記構成は一例にすぎない。
【００３５】
電源信号入力部１２７は、電源信号調整部１０３によって調整された電源信号を受け付ける。上述したように電源信号には、３．３Ｖに印加された電源信号と、８．５Ｖに印加
された電源信号とがあり、電源信号入力部１２７には、各電源信号が入力される。そして、電源信号入力部１２７に入力された電源信号は、ＴＦＴ制御部１２９内のコントロール部１３０へ出力される。
【００３６】
映像信号入力部１２８は、コントラスト調整部１０４によってコントラストの調整等が行われた映像信号を受け付ける。映像信号入力部１２８に入力された映像信号は、ＴＦＴ制御部１２９内のコントロール部１３０へ出力される。
【００３７】
コントロール部１３０は、その内部にＴＦＴモジュール１２５の動作の基準となる基準クロックを生成する基準クロック生成回路（例えば、クロックジェネレータ）を有する。そして、コントロール部１３０は、電源信号、映像信号、及び基準クロックに基づいて、タイミング信号生成部１３１の動作タイミングを制御するタイミング信号制御信号、及びＣＯＭ信号生成部１３４の動作タイミングを制御するＣＯＭ信号制御信号を生成する。生成されたタイミング信号制御信号は、タイミング信号生成部１３１へ出力される。また、生成されたＣＯＭ信号制御信号は、ＣＯＭ信号生成部１３４へ出力される。タイミング信号制御信号及びＣＯＭ信号制御信号は、基準クロック生成回路によって生成された基準クロックに基づくスペクトラム拡散された信号、換言すると信号の周波数を所定の範囲内で変動（例えば周波数を変調）することで、所定の範囲の周波数成分含む信号を意味する。ここで、駆動部１３２には、液晶パネル１３５の映像信号線に映像信号を出力する映像信号線駆動部と、液晶パネル１３５の走査信号線に走査信号を出力する走査信号線駆動部と、が含まれる。従って、タイミング信号制御信号には、映像信号線駆動部の動作を制御するための制御信号と、走査信号線駆動部の動作を制御するための制御信号が含まれる。
【００３８】
また、コントロール部１３０は、メモリ１３３と電気的に接続されており、映像信号に含まれる映像データをこのメモリ１３３に一時的に格納する。そして、基準クロックに基づいて必要に応じてメモリ１３３に格納された映像データを駆動部１３２、より詳細には映像信号線駆動部に対して出力する。
【００３９】
タイミング信号生成部１３１は、コントロール部１３０から出力されるタイミング信号制御信号に基づいて、水平同期信号及び垂直同期信号を駆動部１３２に対して出力する。また、タイミング信号生成部１３１は、コントロール部１３０から出力されるタイミング信号制御信号に基づいて、映像信号を駆動部１３２に対して出力する。
【００４０】
駆動部１３２は、走査信号及び映像信号を液晶パネルに対して出力する。より詳細には、駆動部１３２には、上述したように、映像信号線駆動部と、走査信号線駆動部と、が含まれる。映像信号線駆動部は、タイミング信号制御信号に基づいて、液晶パネル１３５を構成する各映像信号線に対して映像信号を出力する。また、走査信号線駆動部は、液晶パネル１３５を構成する各走査信号線（水平走査信号線及び垂直走査信号線）に対して各走査信号（水平信号線及び垂直走査信号線）を出力する。
【００４１】
ＣＯＭ信号生成部１３４は、コントロール部１３０から出力されるＣＯＭ信号制御信号に基づいて、液晶パネル１３５の共通電極を駆動するＣＯＭ信号を生成する。生成された、ＣＯＭ信号は、液晶パネル１３５に入力されると共に、ＴＦＴ異常検出回路部１０５に入力される。
【００４２】
バックライト１２６は、バックライト回路部１０２からのバックライト信号に基づいて、液晶パネル１３５に対してバックライトを点灯する。また、起動信号入力部は、起動信号の入力を受け付け、ＴＦＴモジュール１２５の起動又は電源を落とす処理を行う。
【００４３】
ここで、図６は、液晶パネル１３５の断面構造を示す。この液晶パネル１３５は、ＴＦ
Ｔガラス基板１６１、画素電極１６２、液晶層１６３、共通電極１６４、及びＣＦ（Color Filter）ガラス基板１６５によって構成されている。ＴＦＴガラス基板１６１には、走査信号線と映像信号線とが格子状に設けられている。そして、走査信号線と映像信号線との交差部近傍には、ＴＦＴが設けられている。各ＴＦＴのゲート電極が走査信号線からアクティブな走査信号を受けたときにこのＴＦＴのソース電極が映像信号線から受ける映像信号と、共通電極１６４に供給される共通電極信号とに基づいて、画素形成部の液晶層１６３に電圧が印加される。その結果、液晶が駆動され、画面上に画像データに応じた画像が表示される。
【００４４】
＜異常検出装置・ＴＦＴモジュールの動作＞
次に異常検出装置１００及びＴＦＴモジュール１２５の動作について説明する。ここで、図７は、ＴＦＴモジュールの起動処理フローを示す。また、図８は、異常検出装置１００のタイミングチャートを示す。まず、ＴＦＴモジュール１２５の起動処理について説明する。ステップＳ０１では、パネルマイコン電源信号（ＯＮ）がパネルマイコン１０１に入力され、パネルマイコン１０１が起動する。続いて、ステップＳ０２では、パネルマイコン１０１の起動からｔ１経過後、３．３Ｖに印加された電源信号（ＯＮ）が出力され、ＴＦＴモジュール１２５へ供給される。ｔ１は、本態様では、３５０ｍｓ（平均）であり、パネルマイコン１０１が安定的に動作する時間として定義される。ステップＳ０３では、３．３Ｖに印加された電源信号の出力からｔ２経過後、８．５Ｖに印加された電源信号（ＯＮ）が出力され、ＴＦＴモジュール１２５へ供給される。ｔ２は、本態様では、２０ｍｓ（平均）であり、３．３Ｖに印加された電源信号による３．３Ｖ電源の立ち上がり時間を考慮して定義される。
【００４５】
ステップＳ０４では、８．５Ｖに印加された電源信号が出力からｔ３経過後、起動信号（ＯＮ）が出力され、ＴＦＴモジュール１２５が起動する。この時、映像信号（具体的には、映像ミュート信号）が出力される。ｔ３は、本態様では、５０ｍｓ（最小）であり、８．５Ｖに印加された電源信号による８．５Ｖ電源の立ち上がり時間を考慮して定義される。ステップＳ０５では、ＴＦＴモジュール１２５の起動からｔ５経過後、バックライト信号（ＯＮ）が出力され、バックライトが点灯される。ｔ５は、本態様では、２５０ｍｓ（平均）であり、ＴＦＴモジュール１２５の起動時間を考慮して定義される。ステップＳ０６では、ＴＦＴモジュール１２５の起動からｔ４経過後、ＣＯＭ信号の監視が開始される。ｔ４は、本態様では、７００ｍｓであり、開始監視の待機時間として定義される。
【００４６】
次にＴＦＴモジュール１２５の異常検出処理について説明する。ここで、図９は、ＴＦＴモジュールの異常検出処理フローを示す。ステップＳ０６では、ＣＯＭ信号の監視が開始される。次にステップＳ１１では、ＴＦＴモジュール１２５が起動されているか否か判断される。ＴＦＴモジュール１２５が起動されていると判断された場合には、ステップＳステップＳ１２へ進む。一方、ＴＦＴモジュール１２５が起動されていないと判断された場合には、再度ステップＳ０６へ進む。
【００４７】
ステップＳ１２では、ＣＯＭ信号のピーク電圧が３．３Ｖ以上であるか否か判断される。本態様では、基準値を３．３Ｖとして設定しているが、これはＣＯＭ信号の電圧（−２Ｖから６Ｖ）とパネルマイコン１０１が５Ｖ対応であることに基づいて設定されている。ＣＯＭ信号のピーク電圧が３．３Ｖ以上の場合、ステップＳ１３へ進む。一方、ＣＯＭ信号のピーク電圧が３．３Ｖを下回っている場合、再度ステップＳ１２へ進む。ステップＳ１３では、ＣＯＭ信号のピーク電圧≧３．３Ｖが３回連続で発生したか否かが判断され、３回連続の場合にはＴＦＴモジュール１２５に異常が発生したと判断され、ステップＳ１４へ進む。一方、３回連続でない場合には、再度ステップＳ１１へ進む。ステップＳ１４では、再起動処理が実行される。なお、図７では、ＴＦＴ異常発生からＣＯＭ信号が減衰し始めていることが分かる。そして、本態様では、ＴＦＴ異常発生からｔ９経過後、ＴＦ
Ｔ異常が検出されている。ｔ９は、本態様では、ＣＯＭ信号のピーク電圧を１５０ｍｓ±５０ｍｓで監視し、３回連続で異常と判断された場合の時間として定義される。
【００４８】
次に、再起動処理について説明する。ここで図１０は、ＴＦＴモジュールの再起動処理フローを示す。ステップＳ１４では、再起動処理が開始される。続いて、ステップＳ２１では、バックライト信号（ＯＦＦ）及び映像信号（Mute ON）が出力され、バックライト１２６が消灯し、ミュートがオンされる。次にステップＳ２２では、ＴＦＴ異常検出からｔ６経過後、起動信号（ＯＦＦ）が出力され、ＴＦＴモジュール１２５の電源が落ちる（ダウンする）。ｔ６は、本態様では、２０ｍｓ（平均）であり、待機時間として定義される。次に、ステップＳ２３では、ＴＦＴモジュール１２５の電源が落ちてから、ｔ７経過後、８．５Ｖに印加された電源信号（ＯＦＦ）が出力され、８．５Ｖに印加された電源信号の供給が停止する。ｔ７は、本態様では、２００ｍｓ（平均）であり、ＴＦＴモジュール１２５に帯電している電荷を放電する時間として定義される。次に、ステップＳ２４では、８．５Ｖに印加された電源信号の供給が停止からｔ８経過後、３．３Ｖに印加された電源信号の供給が停止する。ｔ８は、本態様では、２０ｍｓ（平均）であり、ＴＦＴモジュール１２５の電源を遮断するのに必要な時間として定義される。３．３Ｖに印加された電源信号の供給が停止してからｔ１経過後、３．３Ｖに印加された電源信号の供給が開始される（ステップＳ０２に相当。）。その後、上述したステップＳ０３以降の処理が更に繰り返される。
【００４９】
＜効果＞
以上説明した第一実施形態に係る異常検出装置１００によれば、ＴＦＴモジュール１２５内で発生した異常も検出することができる。すなわち、ＴＦＴモジュール１２５の内部に設けられたＣＯＭ信号生成部１３４からのＣＯＭ信号を監視することで、従来の電源信号を監視する異常検出装置よりもＴＦＴモジュールの異常をより精度よく検出することができる。更に、本実施形態に係る異常検出装置１００では、ＴＦＴ異常検出回路部１０５によって交流のＣＯＭ信号を直流のＣＯＭ信号に変換している。これにより、仮にパネルマイコン１０１内の判断部０が直流信号にのみ対応している場合であっても、異常か否かの判断が可能となる。つまり、既存の異常判断部１１８を利用、換言すると既存のパネルマイコン１０１の制御プログラムを活用することも可能となる。
【００５０】
（第二実施形態）
第二実施形態に係る異常検出装置１００として、第一実施形態に係る異常検出装置１００に対してＴＦＴ異常検出部１０５が設けられていない構成としてもよい。本態様では、第一実施形態に係る異常検出装置１００と異なり、交流のＣＯＭ信号がＣＯＭ信号監視部１１７に入力されることになる。そこで、異常判断部による判断手法も、第一実施形態に係る判断部によるものとは異なってくる。具体的には、第二実施形態に係る異常判断部は、正常時のＣＯＭ波形を予めメモリ等に格納しておき、この正常時のＣＯＭ信号の波形とＣＯＭ信号監視部によって取得されるＣＯＭ信号とを比較する。比較の結果、波形にずれが確認された場合には、ＴＦＴモジュール１２５に異常が発生していると判断することができる。
【００５１】
（変形例）
なお、上述した実施形態に係る異常検出装置は、以下のように構成してもよい。例えば、上述した実施形態（第一及び第二）では、ＴＦＴモジュール１２５内に設けられたＣＯＭ信号生成部１３４からのＣＯＭ信号を監視し、異常判断部によって異常か否かを判断した。しかし、例えば、ＣＯＭ信号生成部は、ＴＦＴモジュールの外部に設けられているものであってもよい。
【００５２】
また、上述した実施形態、特に第一実施形態に係る異常検出装置１００では、ＣＯＭ信
号のピーク電圧が所定の値以上であるか否か判断することで、ＴＦＴモジュール１２５の異常を判断した。但し、ＣＯＭ信号の要素には、電圧に加えて周波数も含まれる。従って、ＣＯＭ信号の周波数に基づいて、ＴＦＴモジュール１２５の異常を判断するようにしてもよい。具体的には、正常時であれば、ＣＯＭ信号監視部１１７で監視されているＣＯＭ信号のピーク電圧は、所定の間隔で繰り返し取得されることから直線を描く（図１１Ａ参照）。しかしながら、例えば、周波数が遅くなると、図１１Ｂに示すように、ＣＯＭ信号監視部１１７で監視されているＣＯＭ信号のピーク電圧は、下降する傾向を示す。これは、ＣＯＭ信号のピーク電圧をホールドするコンデンサ１５１は、自然放電する特性を有し、所定の間隔でＣＯＭ信号のピーク電圧がホールドできなくなると、コンデンサ１５１の電圧が下がるからである。従って、図１１Ｂに示すような下降傾向が見られた場合には、異常判断部はＴＦＴモジュール１２５に異常が発生したと判断することができる。
【００５３】
また、上述した実施形態では、ＴＦＴ異常検出装置をナビゲーション装置に適用した場合を例に説明した。但し、本発明に係る異常検出装置は、ＣＯＭ信号生成部とＴＦＴモジュールとを有する種々の電子機器に広く適用することができる。
【図面の簡単な説明】
【００５４】
【図１】従来の表示装置の異常検出装置の概略構成を示す。
【図２】異常検出装置が搭載されるナビゲーション装置の概略構成を示す。
【図３】第一実施形態に係る異常検出装置の概略構成を示す。
【図４】パネルマイコンの機能ブロック図を示す。
【図５】ＴＦＴ異常検出回路部（ピークホールド回路）の一例を示す。
【図６】液晶パネルの断面構造を示す。
【図７】ＴＦＴモジュールの起動処理フローを示す。
【図８】異常検出装置のタイミングチャートを示す。
【図９】ＴＦＴモジュールの異常検出処理フローを示す。
【図１０】ＴＦＴモジュールの再起動処理フローを示す。
【図１１Ａ】正常時におけるＣＯＭ信号のピーク電圧波形を示す。
【図１１Ｂ】周波数が遅れた場合の、ＣＯＭ信号のピーク電圧波形を示す。
【符号の説明】
【００５５】
２・・・ナビゲーション装置
１００・・・異常検出装置
１０１・・・パネルマイコン
１０２・・・バックライト回路部
１０３・・・電源信号調整部
１０４・・・コントラスト調整部
１０５・・・ＴＦＴ異常検出回路
１１４・・・バックライト信号出力部
１１５・・・電源信号出力部
１１６・・・映像信号管理部
１１７・・・ＣＯＭ信号監視部
１１８・・・異常判断部
１１９・・・起動部
１２０・・・再起動部
１２５・・・ＴＦＴモジュール
１３４・・・ＣＯＭ信号生成部
【図１】
2010091286.tif 000003
【図２】
2010091286.tif 000004
【図３】
2010091286.tif 000005
【図４】
2010091286.tif 000006
【図５】
2010091286.tif 000007
【図６】
2010091286.tif 000008
【図７】
2010091286.tif 000009
【図８】
2010091286.tif 000010
【図９】
2010091286.tif 000011
【図１０】
2010091286.tif 000012
【図１１Ａ】
2010091286.tif 000013
【図１１Ｂ】
2010091286.tif 000014